(57)【要約】【課題】  根太への穴明け作業を少なくして根太の強度の低下を防止すると共に、電線の通線作業工数を削減し電気配線工事の工期短縮を図ることのできる２×４工法住宅用ユニットケーブルを提供すること。【解決手段】  ジョイントボックス２（１１）間を接続する電源線用ＶＶＦケーブル３（１２）と、複数のアウトレットにそれぞれ電源を供給する複数の分岐配線用ＶＶＦケーブル４（１３）と、一端に接続用差込型コネクタ６（１５）が接続される接続用ＶＶＦケーブル５（１４）とを並列に並べ、電源線用ＶＶＦケーブル３（１２）の導体と複数の各分岐配線用ＶＶＦケーブル４（１３）の導体と接続用ＶＶＦケーブル５（１４）の導体とをそれぞれ接続して回路結線を行い、結線部を絶縁し、結線部をジョイントボックス２（１１）に収納し、熱硬化性樹脂をジョイントボックス２（１１）内に注入して封止すると共に、接続用差込型コネクタ６（１５）をジョイントボックス２（１１）に収納して構成する。【選択図】  図  １
2005322443.tif 000002
【特許請求の範囲】
【請求項１】
ジョイントボックス間を接続する電源線用ＶＶＦケーブルと、複数のアウトレットにそれぞれ電源を供給する複数の分岐配線用ＶＶＦケーブルと、一端に接続用差込型コネクタが接続される接続用ＶＶＦケーブルとを並列に並べ、該電源線用ＶＶＦケーブルの導体と複数の各分岐配線用ＶＶＦケーブルの導体と接続用ＶＶＦケーブルの導体とをそれぞれ接続して回路結線を行い、前記結線部を絶縁し、該結線部をジョイントボックスに収納し、熱硬化性樹脂をジョイントボックス内に注入して封止すると共に、前記接続用差込型コネクタをジョイントボックスに収納して構成したことを特徴とする２×４工法住宅用ユニットケーブル。
【請求項２】
前記電源線用ＶＶＦケーブルの先端は、電源上流側のジョイントボックスの接続用差込型コネクタに差し込み接続するものである請求項１に記載の２×４工法住宅用ユニットケーブル。
【請求項３】
前記接続用差込型コネクタのジョイントボックスへの収納は、前記結線部とは独立したスペースに収納するようにした請求項１又は２に記載の２×４工法住宅用ユニットケーブル。
【請求項４】
ジョイントボックス間を接続する電源線用ＶＶＦケーブルと、複数のアウトレットにそれぞれ電源を供給する複数の分岐配線用ＶＶＦケーブルと、一端に接続用差込型コネクタが接続される接続用ＶＶＦケーブルとを並列に並べ、該電源線用ＶＶＦケーブルの導体と複数の各分岐配線用ＶＶＦケーブルの導体と接続用ＶＶＦケーブルの導体とをそれぞれ接続して回路結線を行い、前記結線部を絶縁し、該結線部をジョイントボックスに収納し、熱硬化性樹脂をジョイントボックス内に注入して封止すると共に、前記接続用差込型コネクタをジョイントボックスに収納して構成する２×４工法住宅用ユニットケーブルを任意に設定した根太間に設け、前記２×４工法住宅用ユニットケーブルの電源線用ＶＶＦケーブル間に形成される根太を前記電源線用ＶＶＦケーブルが貫通し、前記各２×４工法住宅用ユニットケーブル間を接続して配線することを特徴とする２×４工法住宅におけるユニットケーブルの配線方法。
【請求項５】
前記２×４工法住宅用ユニットケーブルの任意に設定した根太間は、アウトレットの集中した根太間である請求項４に記載の２×４工法住宅におけるユニットケーブルの配線方法。
【発明の詳細な説明】
【技術分野】
【０００１】
本発明は、住宅用ユニットケーブルに係り、特に２×４工法住宅に適した電線の配線のために必要な木製構造材料に明ける穴の個数を削減することのできる２×４工法住宅用ユニットケーブル及び２×４工法住宅におけるユニットケーブルの配線方法に関する。
【背景技術】
【０００２】
住宅の工法としては、日本の木造建築において従来から行われている在来工法（柱と梁とを現場で職人が組み付けて建築する方法）、パネル同士を接合するパネル工法（屋根、壁、床等をそれぞれパネル化して、これらパネルを接続して建築する方法）、２×４工法（２インチ×４インチの材料を用いて床、壁、屋根等を構築して建築する方法）がある。パネル工法に関しては、特開平４−６８１３９号に明らかであり、２×４工法は、特開平９−３２５６９０号に明らかである。
【０００３】
これら木造建築に用いられる従来の電気配線システムとしては、二重天井内に敷設される天井内配線ユニットと、間仕切壁内に敷設される壁内配線ユニットとを用いることとして、それら天井内配線ユニットと壁内配線ユニットの双方にそれらを互いに着脱可能に接続するコネクタとを備えておき、二重天井内に横引き配線した天井内配線ユニットと、間仕切壁内に立ち上がり配線した壁内配線ユニットを、二重天井と間仕切壁との接合部付近において前記コネクタにより互いに接続するようにしたものが提案されている（例えば、特許文献１参照。）。この特許文献１は、まず、二重天井Ｃ内に横引き配線した天井内配線ユニット３Ａと、間仕切壁Ｗ内に立ち上がり配線した壁内配線ユニット３Ｂを、二重天井と間仕切壁との接合部付近においてコネクタ７ａ，７ｂによって互いに接続する。この天井内配線ユニット３Ａと壁内配線ユニット３Ｂとの間の接続には、延長配線ユニットを用いる。そして、間仕切壁用のパネルユニットの内部には、壁内配線ユニットを予め組み込み、そのコネクタを上方へ引き出し可能に収納しておき、それに壁内配線ユニットを接続するようになっている。
【特許文献１】特開平１１−３２４１７号公報（第３頁  第１図）
【発明の開示】
【発明が解決しようとする課題】
【０００４】
これら木造建築の屋内電気配線には、従来、図６に示す如き構成を有する屋内配線用ユニットケーブル２０が用いられている。この屋内配線用ユニットケーブル２０は、次のように構成されている。すなわち、まず、ＶＶＦケーブル２１を並列に並べ、各々の導体２２を圧着スリーブ２３によって接続をして回路結線を行う。この回路結線を行ったＶＶＦケーブル２１の端部に絶縁チューブ２４を被せ、この絶縁チューブ２４によって各圧着スリーブ２３間の絶縁を図っている。このように回路結線を行い、絶縁を行ったＶＶＦケーブル２１の端部結線部は、ジョイントボックス２５に収納し、熱硬化性樹脂２６をジョイントボックス２５内に注入して封止する。このジョイントボックス２５内への熱硬化性樹脂２６によって、ＶＶＦケーブル２１は、結線部の保護と、結線部のジョイントボックス２５への固定が行われる。２７は、ＶＶＦケーブル２１の導体２２の上に被覆された絶縁体である。
【０００５】
ところで、２×４工法住宅の特徴として、１階の天井裏及び２階の屋根裏空間部分に電気配線ルートがない場合がある。このように１階の天井裏及び２階の屋根裏空間部分に電気配線ルートがない２×４工法住宅において、図６に示す如き構成の屋内配線用ユニットケーブル２０を用いて配線する場合は、図７に示す如く外線から入力した分岐元から、各部屋、各コンセントに分岐して放射状に配線することになる。このように図７に示す如き配線の場合、屋内配線用ユニットケーブル２０のケーブルは、１階の天井裏及び２階の屋根裏空間部分に電気配線ルートがないと、根太（木製構造材料）２８に穴２９を明けて電気配線工事を行わなければならない。すなわち、屋内配線用ユニットケーブル２０の分岐部から各部屋、各コンセントに分岐して根太（木製構造材料）２８に多くの穴２９を明けて電気配線工事を行うことになる。
【０００６】
しかし、このような根太２８は、木造建築の構造材料であり、建築物を支える物である。故に、全く穴が明けられていない根太に比較して、多くの穴が明けられた根太の方が強度的に弱くなる。このため建築物としての寿命が短くなる。したがって、根太２８に明ける穴は、より少ない方がよい。また、根太２８に多くの穴を明けて電気配線すると、根太２８に穴を明ける穴明け作業、さらに、この明けた穴に配線用の電線を通す電線の通線作業工数がかかるため、工期が短縮できないという問題がある。
【０００７】
さらに、従来は、屋内配線用ユニットケーブル２０を２つないし１つとして配線していたため、屋内配線用ユニットケーブル２０から配線先までの距離が長くなり、屋内配線用ユニットケーブル２０から配線先まで配線するのに根太に多くの穴明けを行わなければならず、根太の方が強度的に弱くなり、建築物としての寿命が短くなるという問題がある。このため根太２８に穴を明ける穴明け作業、さらに、この明けた穴に配線用の電線を通す電線の通線作業工数がかかるため、工期が短縮できないという問題がある。
【０００８】
本発明の１つの目的は、根太への穴明け作業を少なくして根太の強度の低下を防止すると共に、電線の通線作業工数を削減し電気配線工事の工期短縮を図ることのできる２×４工法住宅用ユニットケーブルを提供することにある。
【０００９】
本発明の他の目的は、複数個のユニットケーブルを用い、各ユニットケーブル間の接続ケーブルを電源線用ＶＶＦケーブル１本とし、複数個のユニットケーブルを用い、該複数個のユニットケーブルを配線先が比較的集中しているところに分散させて、ユニットケーブルから配線先までの配線距離を従来に比較して近距離として、根太への通線用の穴明け作業を削減することのできる２×４工法住宅におけるユニットケーブルの配線方法を提供することにある。
【課題を解決するための手段】
【００１０】
請求項１に記載の本発明に係る２×４工法住宅用ユニットケーブルは、ジョイントボックス間を接続する電源線用ＶＶＦケーブルと、複数のアウトレットにそれぞれ電源を供給する複数の分岐配線用ＶＶＦケーブルと、一端に接続用差込型コネクタが接続される接続用ＶＶＦケーブルとを並列に並べ、電源線用ＶＶＦケーブルの導体と複数の各分岐配線用ＶＶＦケーブルの導体と接続用ＶＶＦケーブルの導体とをそれぞれ接続して回路結線を行い、結線部を絶縁し、結線部をジョイントボックスに収納すると共に、接続用差込型コネクタをジョイントボックスに収納して構成するようにしたものである。
【００１１】
請求項２に記載の本発明に係る２×４工法住宅用ユニットケーブルは、電源線用ＶＶＦケーブルの先端を、電源上流側のジョイントボックスの接続用差込型コネクタに差し込み接続するようにしたものである。
【００１２】
請求項３に記載の本発明に係る２×４工法住宅用ユニットケーブルは、接続用差込型コネクタのジョイントボックスへの収納を、圧着スリーブによる結線部とは独立したスペースに収納するようにしたものである。
【００１３】
請求項４に記載の本発明に係る２×４工法住宅におけるユニットケーブルの配線方法は、ジョイントボックス間を接続する電源線用ＶＶＦケーブルと、複数のアウトレットにそれぞれ電源を供給する複数の分岐配線用ＶＶＦケーブルと、一端に接続用差込型コネクタが接続される接続用ＶＶＦケーブルとを並列に並べ、電源線用ＶＶＦケーブルの導体と複数の各分岐配線用ＶＶＦケーブルの導体と接続用ＶＶＦケーブルの導体とをそれぞれ接続して回路結線を行い、結線部を絶縁し、結線部をジョイントボックスに収納すると共に、接続用差込型コネクタをジョイントボックスに収納して構成する２×４工法住宅用ユニットケーブルを任意に設定した根太間に設け、２×４工法住宅用ユニットケーブルの電源線用ＶＶＦケーブル間に形成される根太を電源線用ＶＶＦケーブルが貫通し、各２×４工法住宅用ユニットケーブル間を接続して配線するようにしたものである。
【００１４】
請求項５に記載の本発明に係る２×４工法住宅におけるユニットケーブルの配線方法は、２×４工法住宅用ユニットケーブルの任意に設定した根太間を、アウトレットの集中した根太間にしたものである。
【発明の効果】
【００１５】
請求項１に記載の発明によれば、根太への穴明け作業を少なくして根太の強度の低下を防止すると共に、電線の通線作業工数を削減し電気配線工事の工期短縮を図ることができる。
【００１６】
請求項２に記載の発明によれば、接続用ＶＶＦケーブルによるジョイントボックス間の接続を容易にすることができ、電気配線工事の工期短縮を図ることができる。
【００１７】
請求項３に記載の発明によれば、熱硬化性樹脂による封止がないので接続用ＶＶＦケーブルによるジョイントボックス間の接続を容易にすることができる。
【００１８】
請求項４に記載の発明によれば、複数個のユニットケーブルを用い、各ユニットケーブル間の接続ケーブルを電源線用ＶＶＦケーブル１本とし、該複数個のユニットケーブルを配線先が比較的集中しているところに分散させて、ユニットケーブルから配線先までの配線距離を従来に比較して近距離として、根太への通線用の穴明け作業を削減することができ、２×４工法住宅の電気配線を容易に行うことができる。
【００１９】
請求項５に記載の発明によれば、効率よく配線することができる。
【発明を実施するための最良の形態】
【００２０】
本発明は、複数個のユニットケーブルを用い、電源線用ＶＶＦケーブルによって各ジョイントボックス間を接続し、複数個のユニットケーブルを配線先が比較的集中しているところに分散させて、ユニットケーブルから配線先までの配線距離を従来に比較して近距離として、根太への通線用の穴明け作業を削減することによって実現する。
【実施例１】
【００２１】
以下、本発明の実施例について説明する。
【００２２】
図１、図２には、本発明に係る２×４工法住宅用ユニットケーブルの第１の実施例が示されている。
【００２３】
図１、図２において、２×４工法住宅用ユニットケーブル１は、ジョイントボックス２を有している。このジョイントボックス２内には、外部の電源にブレーカー等を介して接続したり、ジョイントボックス間を接続する電源線用ＶＶＦケーブル３と、複数のアウトレット（照明・スイッチ・コンセント）にそれぞれ電源を供給する複数の分岐配線用ＶＶＦケーブル４が並列に収納されている。そして、この電源線用ＶＶＦケーブル３と複数の分岐配線用ＶＶＦケーブル４は、図１には図示されていないが、図６同様、それらの導体同士が接続されており、電源線用ＶＶＦケーブル３から複数の分岐配線用ＶＶＦケーブル４に電源が供給されるようになっている。この電源線用ＶＶＦケーブル３の導体と複数の分岐配線用ＶＶＦケーブル４の導体の接続には、圧着スリーブが用いられており、この圧着スリーブによって回路結線が行われている。この回路結線が行われた電源線用ＶＶＦケーブル３と複数の分岐配線用ＶＶＦケーブル４の導体の結線部には、絶縁チューブが被せられ、この絶縁チューブによって各圧着スリーブ間の絶縁が図られている。
【００２４】
このように回路結線を行い、絶縁を行った電源線用ＶＶＦケーブル３の導体と複数の分岐配線用ＶＶＦケーブル４の導体の端部結線部は、ジョイントボックス２内に収納されている。このジョイントボックス２内には、熱硬化性樹脂を注入し、封止するようにしてもよい。このジョイントボックス２内に熱硬化性樹脂を注入すると、この注入される熱硬化性樹脂によって、電源線用ＶＶＦケーブル３と複数の分岐配線用ＶＶＦケーブル４の結線部の保護を図ることができると共に、電源線用ＶＶＦケーブル３と複数の分岐配線用ＶＶＦケーブル４の結線部をジョイントボックス２内に固定することができる。
【００２５】
また、ジョイントボックス２の電源線用ＶＶＦケーブル３と複数の分岐配線用ＶＶＦケーブル４が収納されている横には、接続用ＶＶＦケーブル５の一端が差し込み接続される接続用差込型コネクタ６と、接続用ＶＶＦケーブル５の他端を収納できるスペースが設けられている。このジョイントボックス２に収納される接続用ＶＶＦケーブル５の他端の導体は、図示されていないが、適宜方法で、電源線用ＶＶＦケーブル３の導体と接続されている。この接続用差込型コネクタ６と接続用ＶＶＦケーブル５の接続は、図２に示す如く構成されている。すなわち、図２において、接続用差込型コネクタ６は、差込孔が２段になっており、一方の段の差込孔には、接続用ＶＶＦケーブル５の他端の導体が差し込まれており、接続用差込型コネクタ６の他方の段の差込孔には、他のジョイントボックスの電源線用ＶＶＦケーブル７の先端が差し込まれるようになっている。すなわち、図１において、電源線用ＶＶＦケーブル７の先端をジョイントボックス２に収納される接続用差込型コネクタ６の空いている差込孔に差し込むだけで、他のジョイントボックスの電源線用ＶＶＦケーブル７に電源が供給できるように接続することができる。
【実施例２】
【００２６】
図３、図４には、本発明に係る２×４工法住宅用ユニットケーブルの第２の実施例が示されている。
【００２７】
図３、図４において、２×４工法住宅用ユニットケーブル１０は、ジョイントボックス１１を有している。このジョイントボックス１１内には、外部の電源にブレーカー等を介して接続したり、ジョイントボックス間を接続する電源線用ＶＶＦケーブル１２と、複数のアウトレット（照明・スイッチ・コンセント）にそれぞれ電源を供給する複数の分岐配線用ＶＶＦケーブル１３が並列に収納されている。そして、この電源線用ＶＶＦケーブル１２と複数の分岐配線用ＶＶＦケーブル１３は、図３には図示されていないが、図６同様、それらの導体同士が接続されており、電源線用ＶＶＦケーブル１２から複数の分岐配線用ＶＶＦケーブル１３に電源が供給されるようになっている。この電源線用ＶＶＦケーブル１２の導体と複数の分岐配線用ＶＶＦケーブル１３の導体の接続には、圧着スリーブが用いられており、この圧着スリーブによって回路結線が行われている。この回路結線が行われた電源線用ＶＶＦケーブル１２と複数の分岐配線用ＶＶＦケーブル１３の導体の結線部には、絶縁チューブが被せられ、この絶縁チューブによって各圧着スリーブ間の絶縁が図られている。
【００２８】
このように回路結線を行い、絶縁を行った電源線用ＶＶＦケーブル１２の導体と複数の分岐配線用ＶＶＦケーブル１３の導体の端部結線部は、ジョイントボックス１１内に収納されている。このジョイントボックス１１内には、熱硬化性樹脂を注入して封止することができる。このジョイントボックス１１内に熱硬化性樹脂を注入することによって、電源線用ＶＶＦケーブル１２と複数の分岐配線用ＶＶＦケーブル１３の結線部の保護を図ることができると共に、電源線用ＶＶＦケーブル１２と複数の分岐配線用ＶＶＦケーブル１３の結線部をジョイントボックス１１内に固定することができる。
【００２９】
また、ジョイントボックス１１の電源線用ＶＶＦケーブル１２と複数の分岐配線用ＶＶＦケーブル１３が収納されている横には、接続用ＶＶＦケーブル１４が収納されるスペースと、この接続用ＶＶＦケーブル１４が収納されるスペースとは仕切られ独立する接続用差込型コネクタ１５を収納するスペースが設けられている。このジョイントボックス１１のスペースに収納される接続用ＶＶＦケーブル１４の一端の導体は、図示されていないが、適宜方法で、電源線用ＶＶＦケーブル１２の導体と接続されている。この接続用差込型コネクタ１５と接続用ＶＶＦケーブル１４の接続は、図４に示す如く構成されている。すなわち、図４において、接続用差込型コネクタ１５は、差込孔が横に２列になっており、一方の列の差込孔には、接続用ＶＶＦケーブル１４の他端の導体が差し込まれており、接続用差込型コネクタ１５の他方の列の差込孔には、他のジョイントボックスの電源線用ＶＶＦケーブル１７の先端が差し込まれるようになっている。すなわち、図３において、接続用ＶＶＦケーブル１４の先端をジョイントボックス１１に収納される接続用差込型コネクタ１５の空いている差込孔に差し込むだけで、他のジョイントボックスの電源線用ＶＶＦケーブル１７に電源が供給できるように接続することができる。
【００３０】
図３、図４中の１６は、接続用ＶＶＦケーブル１４と他のジョイントボックスの電源線用ＶＶＦケーブル１７とをある間隔を持って押さえるための固定用スペーサである。
【実施例３】
【００３１】
図５には、本発明に係る２×４工法住宅におけるユニットケーブルの配線方法の一実施例が示されている。
【００３２】
図５において、根太１８の間に図１に図示の２×４工法住宅用ユニットケーブル１又は図３に図示の２×４工法住宅用ユニットケーブル１０をそれぞれ適切な場所に固定する。この２×４工法住宅用ユニットケーブルの固定には、ジョイントボックス２（１１）に設けられた穴を使って、ボルトや釘などで固定する。そして、２×４工法住宅用ユニットケーブル１（１０）Ｂのジョイントボックス２（１１）Ｂの電源線用ＶＶＦケーブル３（１２）を根太１８Ａに穴１９Ａを明けて通線し、２×４工法住宅用ユニットケーブル１（１０）Ａジョイントボックス２（１１）Ａの接続用差込型コネクタ６（１５）Ａの差込孔に差し込んで接続する。そして、接続用差込型コネクタ６（１５）Ａをジョイントボックス２（１１）Ａ内の収納部に収納する。このようにして、各々２×４工法住宅用ユニットケーブル１（１０）Ｂからアウトレット（照明・スイッチ・コンセント）への配線を行う。
【００３３】
同様に、２×４工法住宅用ユニットケーブル１（１０）Ｃのジョイントボックス２（１１）Ｃの電源線用ＶＶＦケーブル３（１２）Ｃを根太１８Ｂに穴１９Ｂを明けて通線し、２×４工法住宅用ユニットケーブル１（１０）Ｂのジョイントボックス２（１１）Ｂの接続用差込型コネクタ６（１５）Ｂの差込孔に差し込んで接続する。そして、接続用差込型コネクタ６（１５）Ｂをジョイントボックス２（１１）Ｂ内の収納部に収納する。このようにして、各々２×４工法住宅用ユニットケーブル１（１０）Ｃからアウトレット（照明・スイッチ・コンセント）への配線を行う。
【００３４】
したがって、本実施例の配線方法と第１実施例又は第２実施例の２×４工法住宅用ユニットケーブル１（１０）により、根太１８に設ける穴１９の数を少なくすることができ、根太１８の構造的強度を大きく下げずに電気配線をすることができる。
【００３５】
また、本実施例によると、穴明け作業、電線の通線作業工数を削減することができ、電気配線工事、ひいては建築物の作業工期を短縮することができる。
【図面の簡単な説明】
【００３６】
【図１】本発明に係る２×４工法住宅用ユニットケーブルの第１の実施例を示す全体斜視図。
【図２】図１に図示の２×４工法住宅用ユニットケーブルの接続用差込型コネクタの構成を示す斜視図。
【図３】本発明に係る２×４工法住宅用ユニットケーブルの第２の実施例を示す全体斜視図。
【図４】図３に図示の２×４工法住宅用ユニットケーブルの接続用差込型コネクタの構成を示す斜視図。
【図５】本発明に係る２×４工法住宅におけるユニットケーブルの配線方法の実施例を示す図。
【図６】従来のユニットケーブルの断面図。
【図７】従来のユニットケーブルを２×４工法住宅に適用したときの配線状態を示す図。
【符号の説明】
【００３７】
１，１０………………２×４工法住宅用ユニットケーブル
２，１１………………ジョイントボックス
３，１２………………電源線用ＶＶＦケーブル
４，１３………………分岐配線用ＶＶＦケーブル
５，１４………………接続用ＶＶＦケーブル
６，１５………………接続用差込型コネクタ
７，１７………………電源線用ＶＶＦケーブル
１８……………………根太
１９……………………穴
【図１】
2005322443.tif 000003
【図２】
2005322443.tif 000004
【図３】
2005322443.tif 000005
【図４】
2005322443.tif 000006
【図５】
2005322443.tif 000007
【図６】
2005322443.tif 000008
【図７】
2005322443.tif 000009